(57)【特許請求の範囲】
【請求項１】
クライアント端末とサーバとがネットワークを介して接続されて構成される商品検索システムにおいて、
前記サーバは、
前記クライアント端末から受信した検索クエリに基づいて該検索クエリに該当する商品群を抽出する商品抽出手段と、
前記クライアント端末から送信された検索クエリを受信するとともに、前記抽出した商品群の情報であって、各商品の画像を含む商品群の情報を前記クライアント端末に送信する第１の通信手段と、を備え、
前記クライアント端末は、
前記クライアント端末の表示画面を使用して前記検索クエリを入力する入力手段と、
前記サーバから送信された商品群の情報を受信するとともに、前記入力手段によって入力された検索クエリを前記サーバに送信する第２の通信手段と、
前記受信した商品群の情報に基づいて各商品の縮小画像を含む商品群の一覧画面を前記表示画面の第１の表示領域に表示させる一覧表示制御手段と、
前記一覧画面上で所望の１乃至複数の商品を選択するとともに、該選択した商品の中から前記選択の取り消しを行う商品を選択する選択手段と、
前記選択手段によって選択された商品の情報を、その商品の選択を取り消す指示入力があるまで保持する保持手段であって、前記入力手段により新たに入力された検索クエリに基づいて前記サーバによって新たに抽出された商品群の情報を受信した後も保持する保持手段と、
前記選択手段によって選択された商品の縮小画像を前記表示画面上の第３の表示領域に表示させる選択画像表示制御手段と、
前記選択手段によって選択された商品の詳細情報の閲覧を指示する閲覧指示手段と、
前記閲覧指示手段によって前記選択手段によって選択された商品の詳細情報の閲覧が指示されると、前記保持手段によって保持された商品の画像を含む詳細情報を前記表示画面上の第２の表示領域に表示させる詳細情報表示制御手段と、
を備えたことを特徴とする商品検索システム。
【請求項２】
前記詳細情報表示制御手段は、前記第２の表示領域の表示非表示を指示する指示入力に応じて該第２の表示領域を前記第１の表示領域上に表示させ、又は退避させることを特徴とする請求項１に記載の商品検索システム。
【請求項３】
前記詳細情報表示制御手段は、前記入力手段により検索クエリが入力されると、前記第２の表示領域を前記第１の表示領域上から退避させることを特徴とする請求項２に記載の商品検索システム。
【請求項４】
前記詳細情報表示制御手段は、拡大縮小させる指示入力に応じて前記第２の表示領域を拡大縮小させることを特徴とする請求項２又は３に記載の商品検索システム。
【請求項５】
前記選択手段は、前記第１の表示領域に表示された一覧画面内の縮小画像を、前記第３の表示領域にドラッグアンドドロップすることにより所望の１乃至複数の商品を選択することを特徴とする請求項１から４のいずれかに記載の商品検索システム。
【請求項６】
前記選択手段は、前記第３の表示領域に表示された商品の縮小画像を、前記第１の表示領域にドラッグアンドドロップすることにより前記選択した商品の中から前記選択の取り消しを行う商品を選択することを特徴とする請求項５に記載の商品検索システム。
【請求項７】
前記閲覧指示手段は、前記第３の表示領域に表示された前記選択された商品の縮小画像を、前記第２の表示領域にドラッグアンドドロップすることにより前記選択手段によって選択された商品の詳細情報の閲覧を指示することを特徴とする請求項５又は６に記載の商品検索システム。
【請求項８】
前記入力手段は、前記クライアント端末の表示画面に検索クエリを入力するための第４の表示領域を含み、前記第１の表示領域、第２の表示領域又は第３の表示領域に表示された画像を選択し、該選択した画像を前記第４の表示領域にドラッグアンドドロップすることにより前記検索クエリを入力することを特徴とする請求項５から７のいずれかに記載の商品検索システム。
【請求項９】
前記検索される商品は、複数の商品を組み合わされて使用されるものを含むことを特徴とする請求項１から８のいずれかに記載の商品検索システム。
【請求項１０】
前記詳細情報表示制御手段は、商品の画像を移動させる指示入力に応じて前記第２の表示領域に表示された２つ以上の商品の画像を、前記第２の表示領域内の任意の位置に移動させ、前記２つ以上の商品の組み合わせによる相性を検討可能にすることを特徴とする請求項１から９のいずれかに記載の商品検索システム。
【請求項１１】
前記検索される商品は、身につける商品であり、
前記詳細情報表示制御手段は、前記第２の表示領域内にマネキン画像を表示させるとともに、商品の画像を移動させる指示入力に応じて前記第２の表示領域に表示された２つ以上の商品の画像を、前記マネキン画像上に移動させ、前記２つ以上の商品の組み合わせによる相性を検討可能にすることを特徴とする請求項１から９のいずれかに記載の商品検索システム。
【請求項１２】
商品を検索するクライアント端末と、商品の情報を提供するサーバとがネットワークを介して接続され、前記クライアント端末を操作して所望の商品を検索する商品検索方法において、
前記クライアント端末の表示画面を使用して商品を検索するための検索クエリを入力するステップと、
前記入力した検索クエリを前記サーバに送信するステップと、
前記送信された検索クエリに基づいて前記サーバによって抽出された商品群の情報を受信するステップと、
前記受信した商品群の情報に基づいて各商品の縮小画像を含む商品群の一覧画面を前記表示画面の第１の表示領域に表示させるステップと、
前記一覧画面上で所望の１乃至複数の商品を指定して商品を選択するステップと、
前記選択された商品の情報を、その商品の選択を取り消す指示入力があるまで保持するステップであって、前記入力するステップにより新たに入力された検索クエリに基づいて前記サーバによって新たに抽出された商品群の情報を受信した後も保持するステップと、
前記選択された商品の縮小画像を前記表示画面上の第３の表示領域に表示させるステップと、
前記選択された商品の詳細情報の閲覧を指示するステップと、
前記選択された商品の詳細情報の閲覧が指示されると、前記保持された商品の画像を含む詳細情報を前記表示画面上の第２の表示領域に表示させるステップと、
を含み、前記商品の選択と該商品の詳細情報の閲覧との間で画面の再読み込みを行わずに検索を繰り返し実施可能にしたことを特徴とする商品検索方法。
【請求項１３】
クライアント端末の表示画面を使用して商品を検索するための検索クエリの入力を受け付ける機能と、
前記受け付けた検索クエリをサーバに送信する機能と、
前記送信された検索クエリに基づいて前記サーバによって抽出された商品群の情報を受信する機能と、
前記受信した商品群の情報に基づいて各商品の縮小画像を含む商品群の一覧画面を前記表示画面の第１の表示領域に表示させる機能と、
前記一覧画面上で所望の１乃至複数の商品を選択させる機能と、
前記選択された商品の情報を、その商品の選択を取り消す指示入力があるまで保持させる機能であって、前記入力するステップにより新たに入力された検索クエリに基づいて前記サーバによって新たに抽出された商品群の情報を受信した後も保持する機能と、
前記選択された商品の縮小画像を前記表示画面上の第３の表示領域に表示させる機能と、
前記選択された商品の詳細情報の閲覧を指示する機能と、
前記選択された商品の詳細情報の閲覧が指示されると、前記保持された商品の画像を含む詳細情報を前記表示画面上の第２の表示領域に表示させる機能と、
を前記クライアント端末に実現させることを特徴とする商品検索プログラム。
【発明の詳細な説明】
【技術分野】
【０００１】
本発明は商品検索システム、商品検索方法及び商品検索プログラムに係り、特にユーザが所望の商品をネットワークを介して検索する技術に関する。
【背景技術】
【０００２】
近年、インターネットを通じて商品を検索・選択させ、販売する電子商取引（ＥＣ）事業が急速に拡大している。
【０００３】
しかし一方で、市場すべての総売上に対するネット販売額の比率（ＥＣ化率）が高い業種は、パーソナルコンピュータ、書籍など従来のテキストによる検索で商品を特定できる一部業種に限られており、見た目が商品購入の重要なカギを握るファッションなどの業界のＥＣ化率は低迷している。
【０００４】
特に、ファッション・アパレル業界に対象を絞ったとき、商品を探しやすくするために、ブランド毎の検索や、服の形の種類や、色での検索など、様々な商品検索方法をユーザに提供しようという動きが見られる。
【０００５】
特許文献１には、カラーコーディネートされた商品の組み合せをユーザに提案し、仮想空間上に配置される物品の色を変え、その変えた色の商品を検索・購買することができる色検索によるインターネットショッピングシステムが提案されている。
【０００６】
また、近年のＥＣサイトにおいて、商品の検索条件を入力すると、その検索条件に該当する商品群の一覧（商品の縮小画像を含む）を表示し、所望の商品画像をクリックすると、その商品の拡大画像及び詳細情報等を表示する画面に切り替わるようにしたものがある。更に、商品群の一覧を表示している画面上で、気になる複数の商品にチェックを入れ、これらの商品を比較する指示を行うことで、チェックを入れた商品のみを並べて表示する機能を有するものがある。
【特許文献１】特開２００２−９２０２０号公報
【発明の開示】
【発明が解決しようとする課題】
【０００７】
しかしながら、特許文献１に記載のインターネットショッピングシステムは、色によって販売者の相違、商品種類の相違を超えて商品を検索することができるが、色は商品を検索するための１つの検索条件に過ぎず、例えば、ファッション・アパレル業界の商品を色によって検索する場合、必ずしもユーザの気に入った商品を検索することはできない。
【０００８】
また、公知のＥＣサイトにおいて、クライアント端末で入力された検索条件に基づいて抽出された商品群の一覧画面上で、気になる商品をクリックしてその商品の詳細情報を閲覧する場合には、１つずつしか商品の詳細情報を閲覧することがでず、商品の比較や組み合わせが重要となる商品（例えば、アパレル商品）では、商品に対して満足な情報を得ることができない。
【０００９】
更に、公知のＥＣサイトにおいて、気になる複数の商品にチェックを入れ、これらの商品を比較する指示を行うことで、チェックを入れた商品のみを並べて表示する機能を利用すると、商品の比較がしやすくなるが、そもそも商品群の一覧画面上にない商品どうしの比較を行うことはできない。
【００１０】
例えば、アパレル商品群の一覧画面上で、気に入った商品（レディースの秋冬物のトップ）を見つけた場合に、この商品と組み合わせたい商品（レディースの秋冬物のボトム）が前記一覧画面上にない場合には、検索クエリ（「レディース」「秋冬物」「ボトム」）を入力し、この検索クエリに基づいて抽出された商品群の一覧画面上で、再度、前記気に入った商品（トップ）に組み合わせる商品（ボトム）を検索することになるが、この場合には、検索クエリによって抽出された商品群が切り替わっているため、２つの商品（トップとボトム）の商品画像を含む詳細情報を同一画面上で比較することができない。
【００１１】
本発明はこのような事情に鑑みてなされたもので、商品の検索とその商品の詳細情報の閲覧との間に、画面の再読み込み等の無駄なプロセスを作ることなく商品の検索を繰り返し実施することができ、商品の絞り込みを快適かつ効率的に行うことができる商品検索システム、商品検索方法及び商品検索プログラムを提供することを目的とする。
【課題を解決するための手段】
【００１２】
前記目的を達成するために請求項１に係る発明は、クライアント端末とサーバとがネットワークを介して接続されて構成される商品検索システムにおいて、前記サーバは、前記クライアント端末から受信した検索クエリに基づいて該検索クエリに該当する商品群を抽出する商品抽出手段と、前記クライアント端末から送信された検索クエリを受信するとともに、前記抽出した商品群の情報であって、各商品の画像を含む商品群の情報を前記クライアント端末に送信する第１の通信手段と、を備え、前記クライアント端末は、前記クライアント端末の表示画面を使用して前記検索クエリを入力する入力手段と、前記サーバから送信された商品群の情報を受信するとともに、前記入力手段によって入力された検索クエリを前記サーバに送信する第２の通信手段と、前記受信した商品群の情報に基づいて各商品の縮小画像を含む商品群の一覧画面を前記表示画面の第１の表示領域に表示させる一覧表示制御手段と、前記一覧画面上で所望の１乃至複数の商品を選択するとともに、該選択した商品の中から前記選択の取り消しを行う商品を選択する選択手段と、前記選択手段によって選択された商品の情報を、その商品の選択を取り消す指示入力があるまで保持する保持手段であって、前記入力手段により新たに入力された検索クエリに基づいて前記サーバによって新たに抽出された商品群の情報を受信した後も保持する保持手段と、前記選択手段によって選択された商品の縮小画像を前記表示画面上の第３の表示領域に表示させる選択画像表示制御手段と、前記選択手段によって選択された商品の詳細情報の閲覧を指示する閲覧指示手段と、前記閲覧指示手段によって前記選択手段によって選択された商品の詳細情報の閲覧が指示されると、前記保持手段によって保持された商品の画像を含む詳細情報を前記表示画面上の第２の表示領域に表示させる詳細情報表示制御手段と、を備えたことを特徴としている。
【００１３】
即ち、検索クエリに基づいてサーバで抽出された商品群の情報に基づいて各商品の縮小画像を含む商品群の一覧画面が、クライアント端末の表示画面の第１の表示領域に表示され、この一覧画面上で気になった商品が選択され、又は選択された商品の中から商品の取り消しが行われる。前記選択された商品の情報は、その商品の選択を取り消す指示入力があるまで保持され、新たな検索クエリの入力により商品群の抽出が更新されても保持される。そして、前記選択保持された商品の中から１乃至複数の商品の詳細情報の閲覧が指示されると、その商品の画像を含む詳細情報を表示画面上の第２の表示領域に表示させ、この第２の表示領域上で商品の詳細情報の閲覧、及び複数の商品の比較検討ができるようになっている。これにより、一覧画面上での所望の商品の選択（検索）と、その商品の詳細情報の閲覧との間に画面の再読み込み等の無駄なプロセスがなく、商品の検索を繰り返し実施することができる。
【００１４】
請求項２に示すように請求項１に記載の商品検索システムにおいて、前記詳細情報表示制御手段は、前記第２の表示領域の表示非表示を指示する指示入力に応じて該第２の表示領域を前記第１の表示領域上に表示させ、又は退避させることを特徴としている。商品の画像を含む詳細情報は、前記第１の表示領域上に表示される第２の表示領域に表示される。この第２の表示領域は、必要に応じて（商品の詳細情報の閲覧、商品の比較検討等を行う場合に）第１の表示領域上に重ねて表示される。第１の表示領域と第２の表示領域との表示は、画面の再読み込みなしに遷移できる。
【００１５】
請求項３に示すように請求項２に記載の商品検索システムにおいて、前記詳細情報表示制御手段は、前記入力手段により検索クエリが入力されると、前記第２の表示領域を前記第１の表示領域上から退避させることを特徴としている。これにより、商品の検索と商品の詳細情報の閲覧とを連続的に行うことができる。
【００１６】
請求項４に示すように請求項２又は３に記載の商品検索システムにおいて、前記詳細情報表示制御手段は、拡大縮小させる指示入力に応じて前記第２の表示領域を拡大縮小させることを特徴としている。即ち、第２の表示領域を拡大させることで、商品画像の詳細を確認しやすくなる。また、第２の表示領域を縮小させ、第１の表示領域も視認できるようにすることにより、商品の詳細情報を表示した状態で、他の商品の検索を行うことができる。このとき、第１の表示領域に表示される一覧画像を常時スクロールするように表示させることで、より多くの商品群の画像を第２の表示領域等に邪魔されずに表示させることができる。
【００１７】
請求項５に示すように請求項１から４のいずれかに記載の商品検索システムにおいて、前記選択手段は、前記第１の表示領域に表示された一覧画面内の縮小画像を、前記第３の表示領域にドラッグアンドドロップすることにより所望の１乃至複数の商品を選択することを特徴としている。気になる商品を一時的に買い物かごに入れる感覚と同様に、マウスにより直観的に商品の選択操作を行うことができる。
【００１８】
請求項６に示すように請求項５に記載の商品検索システムにおいて、前記選択手段は、前記第３の表示領域に表示された商品の縮小画像を、前記第１の表示領域にドラッグアンドドロップすることにより前記選択した商品の中から前記選択の取り消しを行う商品を選択することを特徴としている。買い物かごに入れた商品を元に戻す感覚と同様に、マウスにより直観的に選択した商品の取り消し操作を行うことができる。
【００１９】
請求項７に示すように請求項５又は６に記載の商品検索システムにおいて、前記閲覧指示手段は、前記第３の表示領域に表示された前記選択された商品の縮小画像を、前記第２の表示領域にドラッグアンドドロップすることにより前記選択手段によって選択された商品の詳細情報の閲覧を指示することを特徴としている。
【００２０】
請求項８に示すように請求項５から７のいずれかに記載の商品検索システムにおいて、前記入力手段は、前記クライアント端末の表示画面に検索クエリを入力するための第４の表示領域を含み、前記第１の表示領域、第２の表示領域又は第３の表示領域に表示された画像を選択し、該選択した画像を前記第４の表示領域にドラッグアンドドロップすることにより前記検索クエリを入力することを特徴としている。
【００２１】
検索クエリを示すキーワードを打つ必要がなく、マウス操作により検索クエリの入力を行うことができる。尚、画像を使用した検索クエリの入力に加え、他の検索クエリを追加して該当商品の絞り込みを行うことも可能である。
【００２２】
請求項９に示すように請求項１から８のいずれかに記載の商品検索システムにおいて、前記検索される商品は、複数の商品を組み合わされて使用されるものを含むことを特徴としている。本発明は、複数の商品を組み合わせて表示し、これらの商品の組み合わせの相性を検討する場合に特に有効である。
【００２３】
請求項１０に示すように請求項１から９のいずれかに記載の商品検索システムにおいて、前記詳細情報表示制御手段は、商品の画像を移動させる指示入力に応じて前記第２の表示領域に表示された２つ以上の商品の画像を、前記第２の表示領域内の任意の位置に移動させ、前記２つ以上の商品の組み合わせによる相性を検討可能にすることを特徴としている。
【００２４】
複数の商品の画像の配置を調整することができ、これにより２つ以上の商品の組み合わせによる相性を検討しやすくすることができる。
【００２５】
請求項１１に示すように請求項１から９のいずれかに記載の商品検索システムにおいて、前記検索される商品は、身につける商品であり、前記詳細情報表示制御手段は、前記第２の表示領域内にマネキン画像を表示させるとともに、商品の画像を移動させる指示入力に応じて前記第２の表示領域に表示された２つ以上の商品の画像を、前記マネキン画像上に移動させ、前記２つ以上の商品の組み合わせによる相性を検討可能にすることを特徴としている。
【００２６】
衣服、ハンドバック、靴、帽子等の身につける商品の画像を、マネキン画像上に重ねて表示させることにより、複数の商品の組み合わせの相性を容易に検討することができる。
【００２７】
請求項１２に係る発明は、商品を検索するクライアント端末と、商品の情報を提供するサーバとがネットワークを介して接続され、前記クライアント端末を操作して所望の商品を検索する商品検索方法において、前記クライアント端末の表示画面を使用して商品を検索するための検索クエリを入力するステップと、前記入力した検索クエリを前記サーバに送信するステップと、前記送信された検索クエリに基づいて前記サーバによって抽出された商品群の情報を受信するステップと、前記受信した商品群の情報に基づいて各商品の縮小画像を含む商品群の一覧画面を前記表示画面の第１の表示領域に表示させるステップと、前記一覧画面上で所望の１乃至複数の商品を指定して商品を選択するステップと、前記選択された商品の情報を、その商品の選択を取り消す指示入力があるまで保持するステップであって、前記入力するステップにより新たに入力された検索クエリに基づいて前記サーバによって新たに抽出された商品群の情報を受信した後も保持するステップと、前記選択された商品の縮小画像を前記表示画面上の第３の表示領域に表示させるステップと、前記選択された商品の詳細情報の閲覧を指示するステップと、前記選択された商品の詳細情報の閲覧が指示されると、前記保持された商品の画像を含む詳細情報を前記表示画面上の第２の表示領域に表示させるステップと、を含み、前記商品の選択と該商品の詳細情報の閲覧との間で画面の再読み込みを行わずに検索を繰り返し実施可能にしたことを特徴としている。
【００２８】
請求項１３に係る商品検索プログラムは、クライアント端末の表示画面を使用して商品を検索するための検索クエリの入力を受け付ける機能と、前記受け付けた検索クエリをサーバに送信する機能と、前記送信された検索クエリに基づいて前記サーバによって抽出された商品群の情報を受信する機能と、前記受信した商品群の情報に基づいて各商品の縮小画像を含む商品群の一覧画面を前記表示画面の第１の表示領域に表示させる機能と、前記一覧画面上で所望の１乃至複数の商品を選択させる機能と、前記選択された商品の情報を、その商品の選択を取り消す指示入力があるまで保持させる機能であって、前記入力するステップにより新たに入力された検索クエリに基づいて前記サーバによって新たに抽出された商品群の情報を受信した後も保持する機能と、前記選択された商品の縮小画像を前記表示画面上の第３の表示領域に表示させる機能と、前記選択された商品の詳細情報の閲覧を指示する機能と、前記選択された商品の詳細情報の閲覧が指示されると、前記保持された商品の画像を含む詳細情報を前記表示画面上の第２の表示領域に表示させる機能と、を前記クライアント端末に実現させることを特徴としている。
【発明の効果】
【００２９】
本発明によれば、検索クエリにより抽出された商品群の一覧画面で、気になった商品を選択すると、その選択された商品の情報は、その商品の選択を取り消す指示入力があるまで保持され、その一方、前記選択保持された商品の中から１乃至複数の商品の詳細情報の閲覧が指示されると、その商品の画像を含む詳細情報を表示画面上に表示させるようにしたため、気になった商品の詳細情報の閲覧、及び複数の商品の比較検討ができる。これにより、一覧画面上での所望の商品の選択（検索）と、その商品の詳細情報の閲覧との間に画面の再読み込み等の無駄なプロセスがなく、商品の検索を繰り返し実施することができ、特に複数の商品の比較、組み合わせの相性を検討する場合に有効である。
【発明を実施するための最良の形態】
【００３０】
以下、添付図面に従って本発明に係る商品検索システム、商品検索方法及び商品検索プログラムの好ましい実施の形態について説明する。
【００３１】
［システム構成］
図１は本発明に係る商品検索システムが適用された商品販売ネットワークシステムの概略図である。
【００３２】
図１に示すように商品検索システム１は、主として商品の情報等を提供するシステムサーバ１０と、一般ユーザが操作するクライアント端末１００と、これらを接続するインターネット２００とによって構成されている。
【００３３】
＜システムサーバ＞
図２は上記商品検索システム１を構成するシステムサーバ１０の概略を示す構成図である。
【００３４】
図２に示すように、システムサーバ１０は、主として検索サーバ１１と、ＷＷＷ（World Wide Web）サーバ１２と、商品データベース（ＤＢ）１３と、ユーザＤＢ１４と、ルータ１５等で構成されている。各サーバ、及びＤＢは、ＬＡＮ１６によって相互に通信可能に接続されており、ルータ１５を介してインターネット２００に接続されている。
【００３５】
商品ＤＢ１３は、本システムによる検索対象の全商品の情報を管理している。この実施の形態では、衣服、ハンドバック、靴、帽子等の身につける商品を対象としており、商品ＤＢ１３は、本システムで取り扱っている全商品を商品の識別情報（商品ＩＤ、（商品名））で管理している。商品ＩＤで管理している各商品の情報としては、商品の画像（本画像、縮小画像（サムネイル画像））とともに、商品の特徴を示す情報として商品の色、模様、形、種類の情報を管理している。その他、商品の価格、サイズ、メーカー名、ブランド名等の情報も管理している。
【００３６】
検索サーバ１１は、クライアント端末１００から受信した検索クエリに基づいてその検索クエリに該当する商品群を商品ＤＢ１３から抽出し、この抽出した商品群の情報をＷＷＷサーバ１２に渡す。例えば、検索クエリとして、ある商品の商品ＩＤを受信すると、その商品ＩＤが示す商品と同一・類似の色、模様、形、又は種類の商品群を商品ＤＢ１３０から抽出する。尚、商品の検索の詳細については後述する。
【００３７】
ＷＷＷサーバ１２は、検索サーバ１１と連携し、クライアント端末１００から受信した検索クエリに対応して検索サーバ１１で抽出された商品群の情報を含むＷｅｂサイト（ＥＣサイト）を、当該クライアント端末１００に提供する。
【００３８】
ユーザＤＢ１４は、本システムを利用するユーザの個人情報（住所、氏名、電話番号、電子メールアドレス、ユーザＩＤ、パスワード等）を管理するもので、本システムで検索された商品の注文を受け付ける場合に、その受け付けた商品の決済や配送等に利用される。
【００３９】
＜クライアント端末＞
図３はクライアント端末のハードウエア構成図である。
【００４０】
図３に示すようにクライアント端末１００は、パーソナルコンピュータ（パソコン）によって構成されており、クライアント端末本体１１０と、液晶ディスプレイ、ＣＲＴディスプレイ等のモニタ装置１２０と、キーボード１３０、マウス１４０等の入力デバイスとから構成されている。
【００４１】
クライアント端末本体１１０は、主として各構成要素の動作を制御する中央処理装置（ＣＰＵ）１１１と、装置の制御プログラムが格納されたり、プログラム実行時の作業領域となる主メモリ１１２と、モニタ装置１２０の表示を制御するグラフィックボード１１３と、インターネット２００と接続される通信インターフェース（通信Ｉ／Ｆ）１１４と、パソコンのオペレーティングシステム（ＯＳ）、パソコンに接続された周辺機器のデバイスドライバ、ＷＷＷブラウザを含む各種のソフトウエア等が格納されるハードディスク装置１１５と、ＣＤ−ＲＯＭドライブ１１６と、キーボード１３０のキー操作を検出して指示入力としてＣＰＵ１１１に出力するキーボードコントローラ１１７と、位置入力装置としてのマウス１４０の状態を検出してモニタ装置１２０上のマウスポインタの位置やマウス１４０の状態等の信号をＣＰＵ１１１に出力するマウスコントローラ１１８とから構成されている。
【００４２】
［商品検索方法］
図４は本発明に係る商品検索方法の実施の形態を示すフローチャートであり、図６乃至図９はそれぞれクライアント端末１００のモニタ装置１２０に表示されるＥＣサイト画面である。
【００４３】
ユーザが所望の商品を検索する場合には、まずクライアント端末１００のＷＷＷブラウザを起動し、システムサーバ１０が提供するＥＣサイトにアクセスし、システムサーバ１０からウェブコンテンツ、ウェブアプリケーションをダウンロードする。そして、クライアント端末１００は、ＥＣサイト画面をモニタ装置１２０に表示させるとともに、ＷＷＷブラウザ上で動作するウェブアプリケーションにしたがって後述する商品検索を実施する。
【００４４】
図６は本発明に係るＥＣサイト画面であり、ＥＣサイトのトップページ、又はトップページにおいて「婦人服」、「紳士服」などのアイコンボタンをクリックすることにより表示された画面である。
【００４５】
このＥＣサイト画面には、商品群の縮小画像（サムネイル画像）を全画面の表示領域（仮に「フィールド」と呼ぶ）に並べた一覧画面１２２が表示されている。この一覧画面１２２では、ユーザに分かりやすく商品を見せるように、流行っているもの、季節もの、おすすめ等、お店のラインナップに準じて商品を並べることが好ましい。
【００４６】
また、一覧画面１２２がゆっくりとスクロール（図６上で左から右へスクロール）するように一覧画面１２２を自動的に移動させ、より多くの商品をユーザに見せるようにしてもよいし、水平スクロールバーや垂直スクロールバーを表示し、フィールド内に収まりきらない商品を、水平スクロールバーや垂直スクロールバーを操作して閲覧できるようにしてもよい。更に、新製品（ＮＥＷ）、おすすめのものは、目立つように色枠等で囲むようにしてもよい。
【００４７】
上記のように商品の一覧画面１２２が表示された状態から、ユーザによる商品の検索が開始される。
【００４８】
図４において、商品の絞り込み検索を行うか否かによって処理が分岐する（ステップＳ１０）。商品の絞り込み検索を行う場合（ＹＥＳの場合）には、ステップＳ２０に遷移する。
【００４９】
＜商品の絞り込み検索＞
図５はステップＳ２０での商品の絞り込み検索の手順を示すフローチャートである。
【００５０】
図５に示すように、商品の絞り込み検索を行う場合には、検索クエリを入力する（ステップＳ２２）。この検索クエリの入力は、図６に示す検索ボックス１２８を使用して行われる。
【００５１】
検索ボックス１２８は、検索クエリを入力するための表示領域としてフィールド（一覧画面１２２）上に表示され、マウス１４０によるドラッグで任意の位置に移動できるようになっている。この検索ボックス１２８には、商品のサムネイル画像をドラッグアンドドロップする領域１２８Ａ、色を選択する「色」ボタン１２８Ｂ、模様を選択する「模様」ボタン１２８Ｃ、形を選択する「形」ボタン１２８Ｄ、及び種類を選択する「種類」ボタン１２８Ｅが設けられている。
【００５２】
検索クエリの入力は、上記検索ボックス１２８を使用して、以下のようにして行う。一覧画面１２２に表示されている商品のサムネイル画像のうちのいずれかを選択し、その選択したサムネイル画像を、マウス１４０で検索ボックス１２８の領域１２８Ａにドラッグアンドドロップする。
【００５３】
商品のサムネイル画像のドラッグアンドドロップが正常に行われると、前記サムネイル画像を更に縮小した縮小画像が検索ボックス１２８に表示されるとともに、いずれの商品が選択されたかを示す情報（その商品に対応する商品ＩＤ）が入力される。続いて、検索ボックス１２８の「色」ボタン１２８Ｂ、「模様」ボタン１２８Ｃ、「形」ボタン１２８Ｄ、又は「種類」ボタン１２８Ｅをクリックし、クリックしたボタンを示す情報が入力される。
【００５４】
これにより、商品の絞り込み検索を希望する商品の商品ＩＤと、その商品の絞り込み条件である「色」、「模様」、「形」又は「種類」の情報が、検索クエリとして入力される。
【００５５】
図５に戻って、上記のようにして検索クエリが入力されると、クライアント端末１００からシステムサーバ１０に検索クエリを送信する（ステップＳ２４）。
【００５６】
検索クエリを受信したシステムサーバ１０（検索サーバ１１）は、前述したように受信した検索クエリに該当する商品群を商品ＤＢ１３から抽出し、この抽出した商品群の情報をＷＷＷサーバ１２に渡す。いま、検索クエリとして、ある商品Ａの商品ＩＤと、「色」を示す情報を受信すると、商品Ａと同じ色、又は類似する色の商品群が商品ＤＢ１３から抽出され、その商品群の情報が検索クエリを送信したクライアント端末１００に送信される。
【００５７】
クライアント端末１００は、上記のようにしてシステムサーバ１０で検索された商品群の情報を受信し（ステップＳ２６）、商品群の情報を更新するとともに、モニタ装置１２０に表示する一覧画面を更新する（ステップＳ２８）。
【００５８】
＜キープボックスでの処理＞
図４において、商品の絞り込み検索を行わない場合（ＮＯの場合）、又はステップＳ２０での商品の絞り込み検索が終了すると、ステップＳ３０に遷移する。
【００５９】
ステップＳ３０では、図７に示すキープボックス１２６での処理を行うか否かによって処理が分岐する。キープボックス１２６での処理が行われる場合には、ステップＳ４０に遷移する。尚、キープボックス１２６は、フィールド（一覧画面１２２）上に表示された所定の表示領域である。
【００６０】
ステップＳ４０では、選択した商品（気になる商品）の情報を一時的に保持する操作、保持した商品の詳細情報の閲覧を指示する操作、及び商品の注文を指示する操作等が行われる。
【００６１】
即ち、キープボックス１２６は、図７に示すように商品のサムネイル画像が表示される表示領域を有するとともに、その表示領域内に「Fitting Room」ボタン１２６Ａと、「レジへ」ボタン１２６Ｂとが設けられている。
【００６２】
一覧画面１２２上で気になる商品を選択し、その商品のサムネイル画像をマウス１４０でキープボックス１２６の表示領域にドラッグアンドドロップすると、その商品のサムネイル画像（一覧画面１２２上のサムネイル画像よりも小さいサムネイル画像）が、キープボックス１２６に表示されるとともに、その商品の情報がクライアント端末１００の所定の記憶領域（例えば、主メモリ１１２内に設定されたキープ用記憶領域）に保持される。
【００６３】
即ち、ユーザは、気になる商品を買い物かごに入れる感覚と同様に、マウスによるドラッグアンドドロップで気になる商品を保持することができる。尚、キープボックス１２６に保持された一覧画面１２２上のサムネイル画像は、その背景色が変化し、キープボックス１２６に保持されていることが確認できるようになっている。また、キープボックス１２６に保持された商品のサムネイル画像を、マウス１４０で一覧画面１２２の表示領域にドラッグアンドドロップすると、その商品のサムネイル画像がキープボックス１２６から消去されるとともに、その商品の情報もキープ用記憶領域から消去される。
【００６４】
また、キープボックス１２６中の「Fitting Room」ボタン１２６Ａをクリックすると、キープボックス１２６に保持した商品の詳細情報を閲覧するための試着台１２４（図８、図９参照）を呼び出し、一覧画面１２２上に重ねて表示させることができ、再度、「Fitting Room」ボタン１２６Ａをクリックすると、試着台１２４を一覧画面１２２から退避させることができる。更に、キープボックス１２６中の「レジへ」ボタン１２６Ｂをクリックすると、キープボックス１２６に保持した商品を購入するための処理に遷移する。
【００６５】
尚、キープボックス１２６は、マウス１４０によるドラッグにより任意の位置に移動できるようになっている。
【００６６】
＜試着台での処理＞
図４において、キープボックス１２６での処理を行わない場合（ＮＯの場合）、又はステップＳ４０での商品の情報の保持処理が終了すると、ステップＳ５０に遷移する。
【００６７】
ステップＳ５０では、図８に示す試着台１２４での処理を行うか否かによって処理が分岐する。試着台１２４での処理が行われる場合には、ステップＳ６０に遷移する。
【００６８】
ステップＳ６０では、キープボックス１２６に保持した商品の詳細情報を閲覧するとともに、複数の商品を比較検討するための操作等が行われる。
【００６９】
前述したようにキープボックス１２６中の「Fitting Room」ボタン１２６Ａをクリックすると、図８に示すようにキープボックス１２６に保持した商品の詳細情報を閲覧するための試着台１２４が呼び出され、一覧画面１２２上に重ねて表示される。
【００７０】
この試着台１２４は、フィールド（一覧画面１２２）上に表示可能な表示領域を有するとともに、その表示領域内にマネキン画像１２４Ａ、１２４Ｂと、画面を拡大縮小させるズームボタン１２４Ｃと、マネキン画像１２４Ａ，１２４Ｂのサイズ（身長）を変更させるスケールバー１２４Ｄとが設けられている。
【００７１】
ユーザは、まず、試着台１２４をフィールド上に表示させ、スケールバー１２４Ｄを操作してマネキン画像１２４Ａ，１２４Ｂの身長を自分の身長に合わせる。続いて、キープボックス１２６に保持した商品のサムネイル画像を、試着台１２４にマウス１４０でドラッグアンドドロップする。これにより、商品の画像（本画像）を試着台１２４上に表示させることができる。尚、商品の画像の他に、その商品に付随する情報（価格、サイズ、メーカー名）等を商品の近傍に表示させるようにしてもよい。
【００７２】
また、ズームボタン１２４Ｃを操作し、試着台１２４を拡大、縮小させることができ、これにより商品の細部を確認することができる。
【００７３】
試着台１２４上の商品の画像は、マウス１４０により試着台１２４上の任意の位置に移動させることができ、例えばマネキン画像１２４Ａ、又は１２４Ｂ上に移動させることができる。
【００７４】
尚、試着台１２４のズーム倍率を、例えば１００％とした場合、その試着台１２４上に表示される商品の画像のズーム倍率も１００％となるように画像サイズが調整されるが、このときの各商品の画像は、その商品の実際のサイズに応じた画像サイズとなるように規格化しておく必要がある。例えば、図８に示したマネキンの身長は、１６０ｃｍに設定されているが、この大きさのマネキンに適したサイズの商品の画像を、マネキン画像上に移動させた場合、マネキン画像にフィットする画像サイズに規格しておく必要がある。
【００７５】
また、商品の画像をマネキン画像１２４Ａの所定の位置近傍まで移動させてドロップすると、マネキン画像上の最適な位置に自動的に位置調整する機能を設けるようにしてもよく、この場合には、商品の画像をマネキン画像上に容易に移動させることができる。
【００７６】
この試着台１２４を使用することにより、２つ以上の商品の組み合わせの相性（例えば、トップとボトム）をマネキンに着せて確認することができる。
【００７７】
一方、試着台１２４で商品の詳細情報を確認した結果、選択した商品に満足できない場合（別の商品を選択する場合）には、キープボックス１２６中の「Fitting Room」ボタン１２６Ａをクリックし、試着台１２４をフィールド（一覧画面１２２）上から退避させる。これにより、図７に示した状態に戻すことができ、ここで、新たな商品を選択してキープボックス１２６に保持させることができる。尚、「Fitting Room」ボタン１２６Ａをクリックして試着台１２４を退避させる代わりに、試着台１２４に「縮小化」ボタンを設け、この「縮小化」ボタンを操作して試着台１２４を退避させるようにしてもよい。また、試着台１２４に設けられたズームボタン１２４Ｃを操作して試着台１２４を縮小してもよいし、試着台１２４をマウス１４０でドラッグしてフィールドから退避するように移動させてもよい。
【００７８】
また、一覧画面１２２上で気に入った商品が見つからない場合には、図６で説明したように商品の絞り込み検索を実施し、一覧画面１２２を更新する。このとき、一覧画面１２２は更新されるが、キープボックス１２６に保持された商品の情報はそのまま残すことができる。
【００７９】
更に、商品の絞り込み検索は、図９に示すように試着台１２４上の商品の画像を、検索ボックス１２８の領域１２８Ａにドラッグアンドドロップすることによって行うこともできる。尚、試着台１２４から検索ボックス１２８への商品の画像のドラッグアンドドロップによる絞り込み検索が指示されると、試着台１２４は自動的に縮小化され、新たに絞り込み検索された一覧画面１２２を確認することができるようになっている。
【００８０】
また、商品の絞り込み検索は、キープボックス１２６上の商品のサムネイル画像を、検索ボックス１２８の領域１２８Ａにドラッグアンドドロップすることによって行うこともできる。
【００８１】
＜注文処理＞
図４において、試着台１２４での処理を行わない場合（ＮＯの場合）、又はステップＳ６０での商品の詳細情報の閲覧が終了すると、ステップＳ７０に遷移する。
【００８２】
ステップＳ７０では、図６等に示したようにキープボックス１２６中の「レジへ」ボタン１２６Ｂをクリックすると、キープボックス１２６に保持した商品を購入するためのステップＳ８０に遷移する。
【００８３】
ステップＳ８０では、例えば、注文情報を入力するための注文画面に遷移する。この注文画面上で注文する商品を確認するとともに、予めユーザＩＤ、パスワード等が設定されているユーザの場合には、そのユーザＩＤ等を入力し、一方、新規のユーザの場合には、ユーザの個人情報等の入力を行った後、注文確認ボタンをクリックすることにより、ユーザＩＤ、キープボックス１２６に保持した商品の商品ＩＤを含む注文情報がシステムサーバ１０に送信される。
【００８４】
そして、本ＥＣサイトを閉じる終了処理が行われるまで、上記各処理が行われる（ステップＳ９０）。
【００８５】
［商品検索の操作の流れ］
図１０は本ＥＣサイト画面上で商品検索を行う場合の操作の流れを示す図である。
【００８６】
図９に示したようにＥＣサイト画面には、商品群のサムネイル画像が表示される一覧画面１２２、試着台１２４、キープボックス１２６、及び検索ボックス１２８が表示される。
【００８７】
このＥＣサイト画面上では、商品の画像のドラッグアンドドロップ、及びボタンのクリック操作を行うことによって画面を移動することなく所望の商品の検索ができるようになっている。
【００８８】
（１）商品の選択操作
商品の絞り込み検索結果が表示されている商品群のサムネイル画像が表示されている一覧画面１２２で選択した商品のサムネイル画像を、キープボックス１２６にドラッグアンドドロップすることにより、その商品の情報が保持（記憶）される（図７参照）。
【００８９】
（２）商品の閲覧操作
キープボックス１２６に保持した商品のサムネイル画像を、試着台１２４にドラッグアンドドロップすることにより、その商品の詳細情報の閲覧、及び他の商品との比較、組み合わせの相性を確認する（図８参照）。
【００９０】
（３）検索操作
一覧画面１２２に表示されているサムネイル画像、試着台１２４に表示されている商品の画像、又はキープボックス１２６に表示されているサムネイル画像を、検索ボックス１２８にドラッグアンドドロップすることにより検索クエリを入力し、その商品を元にして新たな絞り込み検索を行わせる（図６、図９参照）。
【００９１】
（４）絞り込み検索結果の出力
システムサーバ１０にて絞り込み検索された商品群の情報（検索結果）を受信し、その検索結果を出力（一覧表示）する。
【００９２】
（５）商品の選択解除操作
試着台１２４に表示されている商品の画像、又はキープボックス１２６に表示されているサムネイル画像を、一覧画面１２２にドラッグアンドドロップすることにより、キープボックス１２６に保持した商品の情報を削除（商品の選択を解除）する。
【００９３】
（６）商品の閲覧解除操作
試着台１２４に表示されている商品の画像を、キープボックス１２６にドラッグアンドドロップすることにより、試着台１２４に表示されている商品の画像を消去（商品の閲覧を解除）する。尚、この場合には、商品の情報は保持されている。
【００９４】
ユーザは、以上の操作を同じ画面中で、画面を遷移移動（再読み込み）させることなく繰り返し、商品の比較、組み合わせの相性等を確認しながら、所望の商品を快適かつ効率的に検索することができる。
【００９５】
［その他の実施の形態］
キープボックス１２６からある商品のサムネイル画像を試着台１２４にドラッグアンドドロップすると、又は試着台１２４において、ある商品の画像をマネキン画像に重ねると、その商品に対応するおすすめ商品を提案するようにしてもよい。おすすめ商品の提案方法としては、おすすめ商品のサムネイル画像（複数可）を有する「おすすめ商品の表示領域」を試着台１２４の近傍に表示させる。そして、この「おすすめ商品の表示領域」に表示されたサムネイル画像を、試着台１２４にドラッグアンドドロップすることにより、おすすめ商品の詳細情報を確認できるようにする。また、おすすめ商品のサムネイル画像を、試着台１２４にドラッグアンドドロップした場合には、そのおすすめ商品の情報を、キープボックス１２６に保持させるようにしてもよい。尚、商品の情報として、その商品に対応するおすすめ商品の商品ＩＤをもたせることにより、上記おすすめ商品の提案を行うことができる。
【００９６】
また、この実施の形態では、クライアント端末による商品検索は、ＷＷＷブラウザで行うようにしたが、予めシステムサーバ１０から専用ソフトをダウンロードし、その専用ソフトで本発明に係る商品の検索処理を行うようにしてもよい。
【００９７】
更に、商品群の一覧画面、試着台、キープボックス、及び検索ボックスの構成は、この実施の形態に限らず、種々の構成が可能であり、検索ボックス及びキープボックスは、一覧画面とは表示が重ならない所定の位置に固定されたものでもよい。
【００９８】
更にまた、一覧画面の商品のサムネイル画像を、例えば、ダブルクリックすることにより、その商品の情報をキープボックスに保持するとともに、その商品の詳細情報を試着台に表示させるようにしてもよい。この場合、１回のダブルクリックは、商品の情報を保持する選択指示と、その選択した商品の閲覧指示とを同時に行うことになる。
【００９９】
また、この実施の形態では、アパレル商品等の身につける商品を例に説明したが、本発明に係る検索対象となる商品は、これに限定されない。尚、本発明は、商品の比較、組み合わせの相性の確認が必要な商品（アパレル商品、家具、インテリア商品等）の検索に特に有効である。
【０１００】
本発明は、以上の例には限定されず、本発明の要旨を逸脱しない範囲において、各種の改良や変形を行ってもよいことは言うまでもない。
【図面の簡単な説明】
【０１０１】
【図１】図１は本発明に係る商品検索システムが適用された商品販売ネットワークシステムの概略図である。
【図２】図２は商品検索システムを構成するシステムサーバの概略を示す構成図である。
【図３】図３はクライアント端末のハードウエア構成図である。
【図４】図４は本発明に係る商品検索方法の実施の形態を示すフローチャートである。
【図５】図５は商品の絞り込み検索の手順を示すフローチャートである。
【図６】図６はクライアント端末のモニタ装置に表示されるＥＣサイト画面を示す図であり、一覧画面から検索クエリを入力する様子を示す図である。
【図７】図７はクライアント端末のモニタ装置に表示されるＥＣサイト画面を示す図であり、一覧画面から商品を選択する様子を示す図である。
【図８】図８はクライアント端末のモニタ装置に表示されるＥＣサイト画面を示す図であり、試着台で商品の詳細情報を閲覧する様子を示す図である。
【図９】図９はクライアント端末のモニタ装置に表示されるＥＣサイト画面を図であり、試着台又はキープボックスから検索クエリを入力する様子を示す図である。
【図１０】図１０はＥＣサイト画面上で商品検索を行う場合の操作の流れを示す図である。
【符号の説明】
【０１０２】
１…商品検索システム、１０…システムサーバ、１１…検索サーバ、１２…ＷＷＷサーバ、１３…商品ＤＢ、１４…ユーザＤＢ、１００…クライアント端末、１１１…ＣＰＵ、１１２…主メモリ、１１３…グラフィックボード、１１４…通信インターフェース、１１５…ハードディスク装置、１２０…モニタ装置、１２２…一覧画面、１２４…試着台、１２６…キープボックス、１２８…検索ボックス、１４０…マウス、２００…インターネット
【図１】
0005042787.tif 000002
【図２】
0005042787.tif 000003
【図３】
0005042787.tif 000004
【図４】
0005042787.tif 000005
【図５】
0005042787.tif 000006
【図６】
0005042787.tif 000007
【図７】
0005042787.tif 000008
【図８】
0005042787.tif 000009
【図９】
0005042787.tif 000010
【図１０】
0005042787.tif 000011